(57)【要約】      （修正有）【課題】収納容量が大きく子供の興味を引きやすい２階建てバス型包装用組立箱を提供する。【解決手段】１階部分１２の直上に２階部分１３を有する２階建てバスを模した直方体形状を有する組立箱体１１からなり、前記１階部分１２のバス底部は箱体底部として底ロック構造によって組み立てられている。さらに、前記１階部分１２の前部には運転席部２１及び側部には車輪部２２が形成されており、前記２階部分１３は前記１階部分１２の直上に形成され、バス天井面２８は蓋体上面として差込式の開閉蓋部１８によって２階建てバス型包装用組立箱を形成する。【選択図】図１
0003177695.tif 000002
【実用新案登録請求の範囲】
【請求項１】
１階部分の直上に２階部分を有する２階建てバスを模した直方体形状を有する組立箱体からなり、
前記１階部分のバス底部は箱体底部として底ロック構造によって組み立てられており、前記１階部分の前部には運転席部及び側部には車輪部が形成されており、
前記２階部分は前記１階部分の直上に形成され、バス天井面は蓋体上面として差込式の開閉蓋部によって形成されている
ことを特徴とする２階建てバス型包装用組立箱。
【請求項２】
前記箱体内部が中仕切り板によって１階収容部および２階収容部の２段に仕切られている請求項１に記載の２階建てバス型包装用組立箱。
【請求項３】
前記１階部分の前部角部に内側への折り曲げ凹部によってボンネット部が形成されている請求項１又は２項に記載の２階建てバス型包装用組立箱。
【請求項４】
前記１階部分の後部角部に内側への折り曲げ凹部によってプラットフォーム型乗降口が形成されている請求項１ないし３項のいずれかに記載の２階建てバス型包装用組立箱。
【請求項５】
前記ボンネットの内側への折り曲げ凹部と前記プラットフォーム型乗降口の折り曲げ凹部によって前記中仕切り板が支持されている請求項１ないし４項のいずれかに記載の２階建てバス型包装用組立箱。
【考案の詳細な説明】
【技術分野】
【０００１】
本考案は、キャンディやクッキー等の菓子類やおもちゃ等の内容物を収納するための組み立て式の２階建てバス型包装用組立箱に関する。
【背景技術】
【０００２】
例えば、キャンディやクッキー等の菓子類を販売する際に、籠やカップ、袋等の包装用容器に装飾的に包装して販売される。この種の包装用容器としてはクリスマスやハロウィーン、あるいは桃の節句やこいのぼり等の季節に応じたものがアレンジして使用されている。また、特に需要者に人気のあるパンダやウサギなどの動物キャラクターが用いられることも多い。
【０００３】
しかるに、これらの包装用容器に収納して陳列される場合、遠目では目立たず、形状的にも興味を引きづらく、また、容器形状によっては収納容量が小さくなる等といった問題があった。
【考案の概要】
【考案が解決しようとする課題】
【０００４】
本考案は前記の点に鑑みなされたものであり、見た目に圧倒感があり、形状的にも需要者の興味を引きやすく、何よりも収納容量が大きい、組立式の２階建てバス型の包装用箱を提案するものである。
【課題を解決するための手段】
【０００５】
すなわち、請求項１の考案は、１階部分の直上に２階部分を有する２階建てバスを模した直方体形状を有する組立箱体からなり、前記１階部分のバス底部は箱体底部として底ロック構造によって組み立てられており、前記１階部分の前部には運転席部及び側部には車輪部が形成されており、前記２階部分は前記１階部分の直上に形成され、バス天井面は蓋体上面として差込式の開閉蓋部によって形成されていることを特徴とする２階建てバス型包装用組立箱に係る。
【０００６】
請求項２の考案は、前記箱体内部が中仕切り板によって１階収容部および２階収容部の２段に仕切られている請求項１に記載の２階建てバス型包装用組立箱に係る。
【０００７】
請求項３の考案は、前記１階部分の前部角部に内側への折り曲げ凹部によってボンネット部が形成されている請求項１又は２項に記載の２階建てバス型包装用組立箱に係る。
【０００８】
請求項４の考案は、前記１階部分の後部角部に内側への折り曲げ凹部によってプラットフォーム型乗降口が形成されている請求項１ないし３項のいずれかに記載の２階建てバス型包装用組立箱に係る。
【０００９】
請求項５の考案は、前記ボンネットの内側への折り曲げ凹部と前記プラットフォーム型乗降口の折り曲げ凹部によって前記中仕切り板が支持されている請求項１ないし４項のいずれかに記載の２階建てバス型包装用組立箱に係る。
【考案の効果】
【００１０】
請求項１の考案に係る２階建てバス型包装用組立箱は、１階部分の直上に２階部分を有する２階建てバスを模した直方体形状を有する組立箱体からなり、前記１階部分のバス底部は箱体底部として底ロック構造によって組み立てられており、前記１階部分の前部には運転席部及び側部には車輪部が形成されており、前記２階部分は前記１階部分の直上に形成され、バス天井面は蓋体上面として差込式の開閉蓋部によって形成されているため、２階建てバスのボリューム感によって、視覚的に圧倒感があって、需要者の興味を引き付け、かつ収納容量が大きく、しかも強固な底部と、中身の出し入れが容易な上部開口を備えた、簡単かつ容易に組み立てることができる包装用容器を提供することができた。
【００１１】
請求項２の考案は、請求項１において、前記箱体内部が中仕切り板によって１階収容部および２階収容部の２段に仕切られているから、同種または異種の内容物を１階部分と２階部分とに分けて収納することができ、消費者の興趣を高めることができる。
【００１２】
請求項３の考案は、請求項１又は２において、前記１階部分の前部角部に内側への折り曲げ凹部によってボンネット部が形成されているため、バスの前部に立体的な装飾が施こされ、より装飾性、興趣性の高いバス形状とすることができる。
【００１３】
請求項４の考案は、請求項１ないし３において、前記１階部分の後部角部に内側への折り曲げ凹部によってプラットフォーム型乗降口が形成されていることから、バスの後部に立体的な装飾が施こされ、より装飾性、興趣性の高いバス形状とすることができる。
【００１４】
請求項５の考案は、請求項１ないし４において、前記ボンネットの内側への折り曲げ凹部と前記プラットフォーム型乗降口の折り曲げ凹部によって前記中仕切り板が支持されているため、中仕切り板が確りと保持され、内容物が安定して保持される。
【図面の簡単な説明】
【００１５】
【図１】本考案の第一実施例に係る２階建てバス型包装用組立箱の斜視図である。
【図２】図１の２階建てバス型包用装組立箱の展開図である。
【図３】図１の２階建てバス型包装用組立箱と中仕切り板の斜視図である。
【図４】図１の２階建てバス型包装用組立箱に中仕切り板を取り付けた実施例の斜視図である。
【考案を実施するための形態】
【００１６】
図１，２に示す本考案の一実施例に係る２階建てバス型包装組立容１０は、２階建てバスを模した直方体形状を有する組立箱体１１からなる。この組立箱体１１は、キャンディやクッキー等の菓子類やおもちゃ等を内容物とする容器として好適に使用され、直方体形状を有するため、容量が大きく多数の内容物を収納することができる。
【００１７】
組立箱体１１は、厚紙から型紙１００を切り抜き組み立てて形成される。１階部分１２の直上に２階部分１３を有し、１階部分１２のバス底部は箱体底部１４として底ロック構造によって組み立てられ、前部１５には運転席部２１、側部１６には車輪部２２が印刷により形成されており、２階部分はバス天井面２８に箱体上面として差込式の開閉蓋部１８を有する。
【００１８】
型紙１００を切り抜く厚紙は、組立時に独立して直立することができ、かつ菓子等の内容物を収納した時に型崩れを起こさない程度の強度を有する。組立箱体１１は底ロック構造により組み立てられるため、貼り加工が側部の一か所で足り、簡単に組み立てることができる。
【００１９】
底ロック構造は、地獄底とも呼ばれ、加圧方向が一方向からである場合において、単純な差込式の箱体底部よりも型紙の仕様面積が小さくなり、接着剤を用いることなく底部を安定して組立てることができる構造である。貼り加工部１０１を糊付けした後、凹型フラップ１０２を内側に折り曲げ、次に両サイドフラップ１０４Ａ，１０４Ｂを折り曲げ先端部１１４Ａ，１１４Ｂを凹型フラップ１０２の凹部１１２に差し込み、最後に凸型フラップ１０３の凸部１１３を凹型フラップ１０２の凹部１１２に挿入することで組み立てられ、凸型フラップ１１３が他の３つのフラップを抑え込むことにより固定される。底ロック構造は、簡単な構成であるため、安価に製作することができ、大ロットから小ロットまで幅広いロットに用いることができるため、様々な大きさの組立箱体１１に用いることができる。
【００２０】
型紙１００には、１階部分１２の前部１５に該当する箇所に運転席部２１、側部１６に該当する箇所に車輪部２２が描かれ、１階部分１２の直上に形成される２階部分１３のバス天井面２８には組立箱体１１上面となる開閉蓋部１８が構成される。この型紙１００を組み立てることで２階建てバスを模した組立箱体１１が完成する。さらに、本実施例では、組立箱体１１にラジエータグリル２３やライト２４、車窓２５等を描き加えることで、よりバスを模した構成とすることにより、子供の興味を引き付けやすい外観を有している。加えて、飾り線２６により１階部分１２と２階部分１３が明確にされることにより、２階建てバスのもつ通常のバスよりも大きいというイメージをより強く喚起することができる。
【００２１】
バス天井面２８は箱体上面として差込部１９を有する差込式の開閉蓋部１８を備えることから、開口部が大きく形成され、菓子類の内容物が容易に出し入れすることができる。また、上部開口の短辺部にはベロ部２０が形成されれば、組立箱体１１が傾斜した時の内容物の落下を防ぐことができる。
【００２２】
１階部分１２と２階部分１３の間に中仕切り板３０を配置することによって、収容部を１階収容部と２階収容部の二つに分割することが考えられる。収容部を二つに分割することにより、異なる種類の内容物を分けて収納することができるため、内容物のバリエーションを増やすことができる。中仕切り板３０の構成としては、辺部から下方へ延設され組立箱体１１の箱体底部１４に当接する支持部３２を有し、組立箱体１１に上部開口から挿入して配置する構成が考えられる。
【００２３】
また、１階部分１２の前部１５角部には切込により内側に折り曲げられボンネット部５０を形成する折り曲げ凹部５１を有する構成としてもよい。本実施例においては、内側に折り曲げられることにより空いた空間を閉じるためのボンネット部材５２を張り付け、バスとしての形をより詳細に表現している。
【００２４】
同様に、１階部分１２の後部１７角部には切込により内側に折り曲げられプラットフォーム型乗降口５３を形成する折り曲げ凹部５４を形成してもよい。本実施例では、折り曲げ凹部５４に手摺り部５５を描くことにより、プラットフォーム型乗降口５３を認識しやすくなっている。
【００２５】
これにより、１階部分１２の前部１５及び後部１７角部にボンネット部５０及びプラットフォーム型乗降口５３を型紙に描くだけでなく内側に折り曲げ立体的な装飾を付することで、さらに外観をバスに近づけることができる。
【００２６】
図３，４はボンネット部５０の折り曲げ凹部５１とプラットフォーム型乗降口５３の折り曲げ凹部５４の辺部上端が中仕切り板３０の底部に当接し支持されている実施例を示している。本実施例においては、折り曲げ凹部５１，５３は組立箱体１１の一方の側部１６側に形成されていることから、中仕切り板３０は折り幅の小さいプラットフォーム型乗降口５３の折り曲げ凹部５４側短辺３１に支持部３２を有し、支持部３２の下端３３が組立箱体１１の箱体底部１４に当接することにより、菓子類の内容物を収納した時に中仕切り板３０が傾かない構成としている。また、支持部３２を有さない短辺及び長辺には情報に延設された曲げ辺部３４を有し、組立箱体１１の内壁部２７に当接し、中仕切り板３０のブレを抑制することができる。
【００２７】
なお、本考案の２階建てバス型包装用組立箱１０は、前述の実施例のみに限定されるものではなく、考案の趣旨を逸脱しない範囲において構成の一部を適宜に変更して実施することができる。
【００２８】
例えば、側部１６の車窓２５の一部を切り抜くことにより、内容物である菓子類を開閉蓋部１８を閉じた状態でも視認できる構成とすることができる。組立箱体１１内部を視認するための切り抜きは組立箱体１１本体が型崩れ等しない範囲であれば、どこを切り抜いても構わない。また、開閉蓋部１８や側部１６に模様や商品ロゴ等を入れることも考えられる。
【符号の説明】
【００２９】
１０    ２階建てバス型包装用箱体
１１    組立箱体
１２    １階部分
１３    ２階部分
１４    箱体底部
１５    前部
１６    側部
１８    開閉蓋部
２１    運転席部
２２    車輪部
２８    バス天井面
【図１】
0003177695.tif 000003
【図２】
0003177695.tif 000004
【図３】
0003177695.tif 000005
【図４】
0003177695.tif 000006
【手続補正書】
【提出日】平成24年6月13日(2012.6.13)
【手続補正１】
【補正対象書類名】実用新案登録請求の範囲
【補正対象項目名】全文
【補正方法】変更
【補正の内容】
【実用新案登録請求の範囲】
【請求項１】
１階部分の直上に２階部分を有する２階建てバスを模した直方体形状を有する組立箱体からなり、
前記１階部分のバス底部は箱体底部として底ロック構造によって組み立てられており、前記１階部分の前部には運転席部及び側部には車輪部が形成されており、
前記２階部分は前記１階部分の直上に形成され、バス天井面は蓋体上面として差込式の開閉蓋部によって形成されている
ことを特徴とする２階建てバス型包装用組立箱。
【請求項２】
前記箱体内部が中仕切り板によって１階収容部および２階収容部の２段に仕切られている請求項１に記載の２階建てバス型包装用組立箱。
【請求項３】
前記１階部分の前部角部に内側への折り曲げ凹部によってボンネット部が形成されている請求項１又は２項に記載の２階建てバス型包装用組立箱。
【請求項４】
前記１階部分の後部角部に内側への折り曲げ凹部によってプラットフォーム型乗降口が形成されている請求項１ないし３項のいずれかに記載の２階建てバス型包装用組立箱。
【請求項５】
前記ボンネット部の内側への折り曲げ凹部と前記プラットフォーム型乗降口の折り曲げ凹部によって前記中仕切り板が支持されている請求項４に記載の２階建てバス型包装用組立箱。
【手続補正２】
【補正対象書類名】明細書
【補正対象項目名】０００９
【補正方法】変更
【補正の内容】
【０００９】
請求項５の考案は、前記ボンネット部の内側への折り曲げ凹部と前記プラットフォーム型乗降口の折り曲げ凹部によって前記中仕切り板が支持されている請求項４に記載の２階建てバス型包装用組立箱に係る。
【手続補正３】
【補正対象書類名】明細書
【補正対象項目名】００１４
【補正方法】変更
【補正の内容】
【００１４】
請求項５の考案は、請求項４において、前記ボンネット部の内側への折り曲げ凹部と前記プラットフォーム型乗降口の折り曲げ凹部によって前記中仕切り板が支持されているため、中仕切り板が確りと保持され、内容物が安定して保持される。